(57)【要約】【課題】電磁弁による止水に伴う異音の発生が抑制されたシャワーヘッドおよびこのシャワーヘッドを備えた水栓を提供すること。【解決手段】内部に流水路２が形成された本体部３と、前記本体部３の下流側と接続し、外周側の流路と内側の流路との切替えが可能な吐水ソケット６と、前記吐水ソケット６の下流側に接続し、前記流水路２と連通する吐水路４a,４bが形成された吐水部４と、を備え、さらに、前記吐水部４は、前記吐水ソケット６の外周外側に配置され、シャワー水を吐水する散水キャップ８と、前記吐水ソケット６の内側に取り付けられ、整流水を吐水する吐水プラグ９とを有し、前記吐水ソケット６の下流に第１メッシュ部材１１が配設され、さらに、前記第１メッシュ部材１１より下流の前記吐水プラグ９の内部に、空気の流入を抑制可能な第２メッシュ部材１２が配設されているシャワーヘッド１とする。【選択図】図１
2014173364.tif 000002
【特許請求の範囲】
【請求項１】
電磁弁によって、吐水および止水を制御可能な水栓に取り付けられるシャワーヘッドであって、
内部に流水路が形成された本体部と、
前記本体部の下流側と接続し、外周側の流路と内側の流路との切替えが可能な吐水ソケットと、
前記吐水ソケットの下流側に接続し、前記流水路と連通する吐水路が形成された吐水部と、
を備え、さらに、前記吐水部は、前記吐水ソケットの外周外側に配置され、シャワー水を吐水する散水キャップと、前記吐水ソケットの内側に取り付けられ、整流水を吐水する吐水プラグとを有し、
前記吐水ソケットの下流に第１メッシュ部材が配設され、さらに、前記第１メッシュ部材より下流の前記吐水プラグの内部に、空気の流入を抑制可能な第２メッシュ部材が配設されていることを特徴とするシャワーヘッド。
【請求項２】
前記第２メッシュ部材は、６０メッシュ以下であり、かつ、開口比率が５１％以下であることを特徴とする請求項１に記載のシャワーヘッド。
【請求項３】
請求項１または２のシャワーヘッドを備えることを特徴とする水栓。
【発明の詳細な説明】
【技術分野】
【０００１】
本発明は、シャワーヘッドおよびこのシャワーヘッドを備えた水栓に関する。
【背景技術】
【０００２】
特許文献１には、電磁弁によって、吐水および止水を制御可能な水栓が記載されている。特許文献１の水栓に配設されるシャワーヘッド（吐水部材）には、中央部に整流口、その外側にシャワー孔が形成されており、切り替えアームを回動させることで、整流またはシャワーを選択して使用することができる。さらに、特許文献１には、シャワーヘッド（吐水部材）に金網や整流板を配設することで、良好な整流作用が得られることが記載されている。
【先行技術文献】
【特許文献】
【０００３】
【特許文献１】実開平３−４９４８０号公報
【発明の概要】
【発明が解決しようとする課題】
【０００４】
しかしながら、特許文献１のような水栓では、電磁弁による止水によって水路内の水流が急激に停止するため、止水時に、シャワーヘッドから水が滴下する場合がある。この場合、シャワーヘッドから滴下した水に代わって外部の空気がシャワーヘッド内に流入し、シャワーヘッドから異音が発生しやすいという問題があった。
【０００５】
本発明は、以上のとおりの事情に鑑みてなされたものであり、電磁弁による止水に伴う異音の発生が抑制されたシャワーヘッドおよびこのシャワーヘッドを備えた水栓を提供することを課題としている。
【課題を解決するための手段】
【０００６】
上記の課題を解決するために、本発明のシャワーヘッドは、電磁弁によって、吐水および止水を制御可能な水栓に取り付けられるシャワーヘッドであって、内部に流水路が形成された本体部と、前記本体部の下流側と接続し、外周側の流路と内側の流路との切替えが可能な吐水ソケットと、前記吐水ソケットの下流側に接続し、前記流水路と連通する吐水路が形成された吐水部と、を備え、さらに、前記吐水部は、前記吐水ソケットの外周外側に配置され、シャワー水を吐水する散水キャップと、前記吐水ソケットの内側に取り付けられ、整流水を吐水する吐水プラグとを有し、前記吐水ソケットの下流に第１メッシュ部材が配設され、さらに、前記第１メッシュ部材より下流の前記吐水プラグの内部に、空気の流入を抑制可能な第２メッシュ部材が配設されていることを特徴としている。
【０００７】
このシャワーヘッドでは、前記第２メッシュ部材は、６０メッシュ以下であり、かつ、開口比率が５１％以下であることが好ましい。
【０００８】
本発明の水栓は、前記シャワーヘッドを備えることを特徴としている。
【発明の効果】
【０００９】
本発明のシャワーヘッドおよび水栓によれば、電磁弁による止水に伴う異音の発生を抑制することができる。
【図面の簡単な説明】
【００１０】
【図１】本発明のシャワーヘッドの一実施形態を例示した断面図である。
【発明を実施するための形態】
【００１１】
図１は、本発明のシャワーヘッドの一実施形態を例示した断面図である。
【００１２】
本発明において「上流」および「下流」とは、図１中の矢印で例示した流水方向に関しての「上流」および「下流」をいうものとする。
【００１３】
シャワーヘッド１は、電磁弁によって、吐水および止水を制御可能な水栓（図示していない）に取り付けられるものであり、内部に流水路２が形成された中空な本体部３と、本体部３の下流側に位置する下流端部３aに配設された吐水部４とを備えている。
【００１４】
本体部３は、上流側において、給水管Ａの端部と接続可能とされ、水道管を流れる水を、給水管Ａを通じて流水路２に供給することができる。また、本体部３は、その外周がカバー部３bによって覆われている。
【００１５】
本体部３の下流端部３aは、流水方向を下方に変えるように、下方にやや屈曲して延びている。下流端部３aは、吐水部４から噴出するシャワーを洗面化粧台などに向かわせ、手洗いなどを容易に行うことができるように設計されている。
【００１６】
また、本体部３の下流端部３aには、吐水部４を本体部３に接続するための受け部５が配設されている。受け部５は略円筒状の形状を有し、下流端部３aの内側にパッキンなどを介在させて嵌め込まれている。受け部５の下流端部には通水孔５aが形成されている。
【００１７】
受け部５の下流側には、流水方向に延びる略円筒状の吐水ソケット６が取り付けられ、吐水ソケット６には、複数の入水路６aが形成されており、本体部３の下流端部３aから流水方向に突出している。
【００１８】
吐水ソケット６は、外周側の流路と内側の流路との切替えが可能とされている。ここで、吐水ソケット６の外周側の流路には、後述する吐水部４（散水キャップ８）の吐水路４aが含まれ、吐水ソケット６の内側の流路には、後述する吐水部４（吐水プラグ９）の吐水路４bが含まれる。
【００１９】
吐水ソケット６の下流側には、吐水ソケット６の内側および外側に吐水部４が接続され、本体部３の下流端部３aに吐水部４が配設されている。受け部５の外周部は、下流端部３aの内周部から少し離間して配置され、受け部５の外周部と下流端部３aの内周部の間に環状溝７が形成されている。
【００２０】
吐水部４は、吐水ソケット６の外周外側に配置され、シャワー水を吐水する散水キャップ８と、吐水ソケット６の内側に取り付けられ、整流水を吐水する吐水プラグ９とを有している。散水キャップ８は、ブッシュ１０を介して本体部３の下流端部３aに接続されている。また、吐水部４は、流水路２と連通する吐水路４ａ、４ｂを有している。吐水路４ａは、吐水ソケット６の内部を通じて本体部３の流水路２に連通している。
【００２１】
ブッシュ１０は、略円筒状の形状を有し、本体部３側の端部に肉薄状の脚部１０aを備えており、脚部１０aが環状溝７に差し込まれて本体部３の下流端部３aに取り付けられ、吐水ソケット６の外側に配置されている。また、ブッシュ１０の外周部には、下流端部において、外側から内側に向かって凹んだ環状溝１０bが形成されている。
【００２２】
散水キャップ８は、キャップ状の形状を有し、円筒状の筒部８aの一端部に円環状の散水板８bが一体に配設されている。散水板８bには、複数の散水孔Ｈが表裏を貫通して形成されている。散水キャップ８は、パッキンを介してブッシュ１０の環状溝１０bに嵌挿して、ブッシュ１０の周りに回動自在に取り付けられ、吐水ソケット６の外周外側に配置されている。こうして、散水板８bは、散水キャップ８の内部に位置する吐水路４ａの出口に配設されている。
【００２３】
吐水プラグ９は、略円筒状の形状を有し、吐水ソケット６の内部に嵌入されて取り付けられている。吐水プラグ９の内部に位置する吐水路４ｂは、整流水を吐水するための径が一定の流路として形成されており、吐水ソケット６を通じて本体部３の流水路２に連通している。
【００２４】
また、吐水プラグ９では、吐水路４ｂの出口側の端部に、外側に延在するフランジ部９aが配設されている。吐水プラグ９を吐水ソケット６の内部へ嵌入することによって、フランジ部９aは、散水板８bの表面の内周縁部に当接し、散水キャップ８の抜け止めとして機能し、散水キャップ８は吐水ソケット６と接続される。
【００２５】
シャワーヘッド１は、散水キャップ８を回動させることによって、吐水ソケット６が回動して、外周側の流路と内側の流路とを切り替えることができ、これによって、吐水モードの切替え（吐水路４ａまたは吐水路４ｂからの吐水の選択）が可能とされている。すなわち、散水キャップ８の回動操作により吐水ソケット６が回動して流路が切り替えられ、入水路６aと通水孔５a(流水路２)とが連通状態となると、水は、吐水プラグ９の内部に位置する吐水路４ｂから整流水として吐水される。一方、吐水ソケット６の回動によって、入水路６aと通水孔５a(流水路２)の連通が遮断されると、水は、吐水路４ａを通って散水板８bの散水孔Ｈから噴出し、シャワー水が吐水される。
【００２６】
そして、シャワーヘッド１は、吐水ソケット６の入水路６aの下流付近に、第１メッシュ部材１１が配設されている。第１メッシュ部材１１としては、例えば、各種の金属材料によって形成されたものを使用することができ、好適には、４０〜８０メッシュ（1インチあたりの目の数）であり、開口比率が３０〜６０％以下のものである。メッシュおよび開口比率がこの範囲であると、良好な整流作用を実現でき、さらに、圧力損失が増加するのを抑制することができる。
【００２７】
さらに、第１メッシュ部材１１より下流の吐水プラグ９の内部には、空気の流入を抑制可能な第２メッシュ部材１２が配設されている。第２メッシュ部材１２も、各種の金属材料によって形成されたものを使用することができる。第２メッシュ部材１２は、吐水プラグ９内の吐水路４bの下流端部付近に配設されることが好ましい。
【００２８】
吐水プラグ９の内部に第２メッシュ部材１２が配設されていることによって、止水時に吐水ソケット６内に保持されている水が滴下し難い。このため、電磁弁によって止水した際に、吐水プラグ９の吐水路４bの下流端部から吐水ソケット６内（入水路６a付近）に空気が巻き込まれ難くなり、また、仮に空気が巻き込まれた場合でも空気の勢いを減少させることができるため、異音の発生が抑制される。また、第２メッシュ部材１２は、吐水プラグ９の内部に配設されているため、例えば、入水路６aの出口付近にメッシュ部材を配設した場合と比較して、流水の圧力損失の増加が抑制される。このため、シャワーヘッド１は、流水の圧力損失に伴う流量低下が抑制されている。
【００２９】
また、第２メッシュ部材１２のメッシュは、好ましくは６０メッシュ以下、より好ましくは５０〜６０メッシュである。さらに、第２メッシュ部材１２の開口比率は、好ましくは５１％以下、より好ましくは３０〜５１％である。第２メッシュ部材１２のメッシュおよび開口比率がこの範囲であると、圧力損失の増加を抑制しつつ、吐水プラグ９、吐水ソケット６の内部への空気の流入をより確実に抑制することができる。
【００３０】
このようなシャワーヘッド１は、電磁弁によって吐水および止水が制御される水栓に取り付けることができ、これによって、止水時にシャワーヘッド１からの異音の発生が抑制された水栓が提供される。
【００３１】
なお、本発明のシャワーヘッドは、以上の実施形態に限定されることはない。例えば、本体部および吐水部の構成および構造をはじめ、本体部および吐水部を形成する各種の部材の形状、構造などについては各種の態様が可能である。また、上記説明では水の吐出のみについて記載したが、本発明のシャワーヘッドは、湯やその他の液体の吐出も可能であることはいうまでもない。
【符号の説明】
【００３２】
１    シャワーヘッド
２    流水路
３    本体部
４    吐水部
４a ４b  吐水路
６    吐水ソケット
８    散水キャップ
９    吐水プラグ
１１  第１メッシュ部材
１２  第２メッシュ部材
【図１】
2014173364.tif 000003